(57)【要約】【課題】作成したシェーマ図と取り込まれた患部像とを容易に見比べることのできる医療画像処理システムを提供する。【解決手段】医療画像情報をコンピュータで処理する医療画像処理システムにおいて、医療用シェーマ図を表示するディスプレイと、ディスプレイに表示されたシェーマ図に描画データ及びテキストデータを書き込むための書き込み手段と、ディスプレイに表示する画像を回転する角度を指示する指示手段と、指示手段による回転角度に従って書き込まれた描画を含むシェーマ図を回転させた座標変換処理を行う画像処理手段であって、テキストデータについては回転させずに平行移動のみの座標変換処理を行う画像処理手段と、を備える。【選択図】      図１０
2004357803.tif 000002
【特許請求の範囲】
【請求項１】
医療画像情報をコンピュータで処理する医療画像処理システムにおいて、医療用シェーマ図を表示するディスプレイと、該ディスプレイに表示された前記シェーマ図に描画データ及びテキストデータを書き込むための書き込み手段と、前記ディスプレイに表示する画像を回転する角度を指示する指示手段と、該指示手段による回転角度に従って前記書き込まれた描画を含むシェーマ図を回転させた座標変換処理を行う画像処理手段であって、前記テキストデータについては回転させずに平行移動のみの座標変換処理を行う画像処理手段と、を備えることを特徴とする医療画像処理システム。
【請求項２】
請求項１の画像処理手段は、回転角度の指示に従ってテキストデータが移動する座標にテキストデータを平行移動させる処理を行うことを特徴とする医療画像処理システム。
【請求項３】
請求項１の医療画像処理システムは、前記シェーマ図に対応する患部の撮影画像を取り込むための取り込み手段と、回転処理したシェーマ図と共に前記撮影画像を前記ディスプレイの同一画面に表示する表示制御手段と、を有することを特徴とする医療画像処理システム。
【請求項４】
医療画像情報をコンピュータで処理するための医療画像処理プログラムにおいて、ディスプレイに医療用シェーマ図を表示させる手段と、該ディスプレイに表示された前記シェーマ図に描画データ及びテキストデータを書き込み貼り付ける貼り付け手段と、前記ディスプレイに表示する画像を回転する角度を指示する指示手段と、該指示手段の指示信号に従って前記書き込まれた描画データを含むシェーマ図を回転させた座標変換処理を行う画像処理手段であって、前記テキストデータについては回転させずに平行移動のみの座標変換処理を行う画像処理手段と、をコンピュータに実行させることを特徴とする医療画像処理プログラム。
【発明の詳細な説明】
【０００１】
【発明の属する技術分野】
本発明は、医療装置にて得られた画像情報等の電子ファイルを保存管理する医療画像処理方法及び医療画像処理システムに関する。
【０００２】
【従来技術】
近年、医療分野においても電子化、情報化が進み、カルテを電子化してネットワーク等にて情報の共有化を図っている。このような背景において、撮影装置にて撮影された患部の画像を取り込んだり、電子カルテや診断レポート等に患部等の状態を簡略して描く見取り図（以下、シェーマ図と記す）を作成することのできる医療画像処理システムが提供されている。電子カルテにシェーマ図を作成するための手段としてはマウス、タブレットやペンタブレット等を用いて作成する手法が知られている。このようなシェーマ図には、医者のコメント等を付す場合が多いため、電子化されたシェーマ図上にテキスト入力にてコメント等を付け加えることができるようになっている（特許文献１参照）。
【特許文献１】
特開２００２−３０４４６７号公報
【０００３】
【発明が解決しようとする課題】
このようなシェーマ図は、医者が患部の状態を見たまま写し取るため、場合によっては患部の位置関係が実際と異なることがある。例えば、患者眼の眼底の状態をシェーマ図にする場合、医者は観察視野を広くとるために倒像鏡を用いて眼底を観察する。倒像鏡にて観察される眼底像は倒立した像であるので、実際の眼底に対して上下、左右が逆さまとなっている。このような状態で観察され、描かれたシェーマ図にコメント等を付す場合には、倒立している眼底像に対してコメントを付していることとなる。また、このようなシェーマ図は眼底カメラ等の撮影装置にて撮影され、取り込まれた眼底像と見比べることが多い。眼底カメラ等にて撮影された患部像（眼底像）は倒立像でなく、直像であるため、予め作成されたシェーマ図とは見比べ難い。また、電子化されたシェーマ図を上下、左右反転させることにより、撮影された眼底像と見比べることは可能であるが、その際シェーマ図に付されたコメントも反転し、文字が逆さまになってしまうこととなり、都合が悪い。
本発明は、上記従来技術の問題点に鑑み、作成したシェーマ図と取り込まれた患部像とを容易に見比べることのできる医療画像処理システムを提供することを技術課題とする。
【０００４】
【課題を解決するための手段】
上記課題を解決するために、本発明は以下のような構成を備えることを特徴とする。
（１）  医療画像情報をコンピュータで処理する医療画像処理システムにおいて、医療用シェーマ図を表示するディスプレイと、該ディスプレイに表示された前記シェーマ図に描画データ及びテキストデータを書き込むための書き込み手段と、前記ディスプレイに表示する画像を回転する角度を指示する指示手段と、該指示手段による回転角度に従って前記書き込まれた描画を含むシェーマ図を回転させた座標変換処理を行う画像処理手段であって、前記テキストデータについては回転させずに平行移動のみの座標変換処理を行う画像処理手段と、を備えることを特徴とする。
（２）  （１）の画像処理手段は、回転角度の指示に従ってテキストデータが移動する座標にテキストデータを平行移動させる処理を行うことを特徴とする。
（３）  （１）の医療画像処理システムは、前記シェーマ図に対応する患部の撮影画像を取り込むための取り込み手段と、回転処理したシェーマ図と共に前記撮影画像を前記ディスプレイの同一画面に表示する表示制御手段と、を有することを特徴とする。
（４）  医療画像情報をコンピュータで処理するための医療画像処理プログラムにおいて、ディスプレイに医療用シェーマ図を表示させる手段と、該ディスプレイに表示された前記シェーマ図に描画データ及びテキストデータを書き込み貼り付ける貼り付け手段と、前記ディスプレイに表示する画像を回転する角度を指示する指示手段と、該指示手段の指示信号に従って前記書き込まれた描画データを含むシェーマ図を回転させた座標変換処理を行う画像処理手段であって、前記テキストデータについては回転させずに平行移動のみの座標変換処理を行う画像処理手段と、をコンピュータに実行させることを特徴とする。
【０００５】
【発明の実施の形態】
以下、本発明の一実施形態を図面に基づいて説明する。
＜システム基本構成＞
図１は医療機器にて得られる測定情報、画像情報等の医療情報を管理、処理する医療画像処理システムの構成を示す図である。なお、本実施の形態では医療機器として眼科機器を用いて説明する。
【０００６】
１はパーソナルコンピュータ（以下、パソコンと記す）である。このパソコン１は内部に演算制御部２と、ハードディスクドライブからなる情報記憶再生部（不揮発性メモリ）３と、ＲＡＭ４（Ｒａｎｄｏｍ  Ａｃｃｅｓｓ  Ｍｅｍｏｒｙ）と、外部からの画像データをパソコン１に入力するためのビデオキャプチャーからなる入力部５と、外部のパソコンとデータ交換等を行うための通信部４０と、を備える。情報記憶再生部３、ＲＡＭ４、入力部５、通信部４０は各々演算制御部２に接続される。
【０００７】
情報記録再生部３内には、後述する医療情報処理ソフト（プログラム）１０が記憶されており、この医療情報処理ソフト１０をパソコンで起動（実行）させることによって医療画像処理システムを使用することが可能である。
情報記憶再生部３内には、患者毎にフォルダ（患者フォルダ１２ａ、１２ｂ）が作製され、ここに患者毎の画像データが保存される。患者を指定せずに画像の取り込みを行った場合にはＱｕｅｕｅフォルダ１１に画像データが保存される。また、情報記録再生部３はハードディスクドライブの他に例えばＤＶＤドライブやフレキシブルディスクドライブ等を使用することができる。
【０００８】
入力部５には眼底カメラ２０やスリットランプ３０が接続される。眼底カメラ２０やスリットランプ３０には予め撮影用（画像取り込み用）の図示なきＣＣＤカメラやデジタルカメラ等の撮像手段が設置されており、各撮像手段にて撮像された画像データが入力部５を通じてパソコン１内に取り込まれる。
通信部４０にはモデムやＬＡＮボードが設置されており、インターネット４１やＬＡＮ４２（Ｌｏｃａｌ  Ａｒｅａ  Ｎｅｔｗｏｒｋ）を使用して他のパソコン１′と相互通信を行うことができる。
【０００９】
１３は取り込んだ画像等を用紙に出力するためのプリンタである。１５はディスプレイであり、ＬＣＤモニタやＣＲＴモニタ等の汎用のディスプレイを使用することができる。１６はパソコン１や起動した医療情報処理ソフト１０の動作指示を行うための操作部である。操作部１６にはキーボード１６ａやマウス１６ｂが使用される。
【００１０】
＜医療情報処理ソフト構成＞
医療情報処理ソフト１０を起動させると演算制御部２は情報記録再生部３から医療情報処理ソフト１０を読み込み、ＲＡＭ４に常駐させる。この医療情報処理ソフト１０は大きく分けて５つの作業画面から構成される。各作業画面について図２〜５に示し、各々について説明する。
【００１１】
（患者一覧表示画面）
医療情報処理ソフト１０が起動すると、ディスプレイ１５上には最初に患者一覧表示画面が図２のように表示される。この画面はメイン画面となり、登録済みの患者の一覧表示、患者検索、新規患者の受付（登録）等がこの画面で行えるようになっている。登録済みの患者の一欄は表示欄５０に患者５０ａ、患者５０ｂ……のように順に表示される。
登録済みの患者に対しては、情報記録再生部３内に各々フォルダが作製されている。本実施の形態では患者５０ａに対して患者フォルダ１２ａが、患者５０ｂに対して患者フォルダ１２ｂが、それぞれ作製されている。
【００１２】
画面向かって右側には、登録済の患者を検索するためのボタン群５１、新規登録を行うための登録ボタン５２、個々の患者情報を詳しく見る場合の開示ボタン５３が縦列に並ぶ。これらのボタンを使用するためには、マウス１６ｂを使用してディスプレイ１５上に表示されているカーソルマーク１１０をボタン上まで移動させておく。その後、マウス１６ｂに備わっている図示なきボタンをクリックすることにより使用できる。
【００１３】
画面下部にはショートカットボタン群１００が設定されており、１２個のショートカットボタン１００ａ〜１００ｌを使用することができる。このショートカットボタン１００ａ〜１００ｌはキーボード１６ａに搭載される図示なきファンクションキー（Ｆ１〜Ｆ１２）に割り当てられた動作に対応している。
【００１４】
本実施形態にて設定されているショートカットボタンは、メイン画面へ移動するためのボタン１００ａ、患者リストを表示するボタン１００ｂ、眼底カメラ２０からの画像取り込みを行うボタン１００ｃ、スリットランプ３０からの画像取り込みを行うボタン１００ｄ、Ｑｕｅｕｅフォルダ１１に保存された画像データのすべてをサムネイル（Ｔｈｕｍｂｎａｉｌ）形式で表示させるためのボタン１００ｅ、選択した画像データをプリンタ１３にて出力するためのボタン１００ｆからなる。残りのボタン１００ｇ〜１００ｌは本実施形態では設定されていない。
画面上部にはメニューバー５４が表示される。メニューバー５４にはファイル、患者、測定、設定、ヘルプの項目があり、主な機能（表示画面の切換等）はこのメニューバー５４からでも選択、使用することができる。
【００１５】
（登録画面）
図３は、患者の新規登録、又は登録済みの患者情報を表示するための画面である。この登録画面は図２で示した登録ボタン５２、開示ボタン５３を使用することにより、表示させることができる。登録画面の左端には、現在まで取り込んだ画像データや測定データ等の医療画像をまとめたアイコンが階層形式（ツリービュー８５）に表示されており、目視にて保存内容、状況が把握できるようになっている。
【００１６】
患者の新規登録は患者データ登録画面６０にて行う。患者データの入力項目はは「氏名」、「ふりがな」、「性別」、「生年月日」、「コード」、「初診日」、「住所」、「電話番号」等からなる。６１は登録するためのＯＫボタン、６２は登録をキャンセルするためのキャンセルボタンである。また、新規登録を行うことにより、情報記録再生部３内に患者フォルダが登録の数だけ作製（記憶）される。
【００１７】
また、画面左下には、レポートボタン６３、所見ボタン６４、入力テンプレートボタン６５が表示されている。レポートボタン６３は、ある患者における各種の画像データや所見データ等をＨＴＭＬ形式にて一つに統合し、レポートデータを作成するためのボタンである。所見ボタン６４はシェーマ図を作成する際に用いられる。このシェーマ図作成の詳細は後述する。また、入力テンプレートボタン６５は、手入力にて患者の測定データ等を入力する際に用いられる。
【００１８】
（画像取り込み画面）
図４は眼底カメラ２０やスリットランプ３０にて撮像される患者眼の画像データをパソコン１内に取り込むための画像取り込み画面である。
７０はメイン画像ボックスであり、最新の取込み画像がここに大きく表示される。７１はサムネイル表示ボックスであり、取り込んだ画像がサムネイル画像７０ａ、７０ｂとして順次表示される。また、サムネイル表示ボックス７１に複数のサムネイル画像が表示されている場合、そのうちの一つを選択すると選択されたサムネイル画像がメイン画像ボックス７０に拡大表示される。
７３は取り込む画像に対して検眼データを設定するための設定ボタン群である。設定ボタン群では検眼日、左右眼の指定、画像フォーマット撮影モードの選択が選択、設定できる。
【００１９】
眼科装置（眼底カメラ２０、スリットランプ３０）からの患者眼の取り込みは取込ボタン７４をクリックすることにより行われる。画像の取り込み動作は、取り込みボタン７４の使用以外にも眼科装置が備える図示なきジョイスティックやフットスイッチ等によっても行うことができる。７５は画像の取り込みを終了して、１つ前の作業画面に戻るための終了ボタンである。
【００２０】
（シェーマ図作成画面）
図５はシェーマ図を作成するための画面である。このシェーマ図作成画面は、前述した所見ボタン６４を使用（クリック）することにより、表示させることができる。
９０は所定のシェーマ図を作成するために予め用意された複数の雛型である。本実施形態における雛型９０には、例えば倒像眼底雛型９０ａ，９０ｂ、眼球断面図雛型、フリー入力雛型、顔面用雛型やスリット断面図雛型等が用意されている。なお、倒像眼底雛型９０ａは患者眼の右眼底の倒像を略図化したものであり、この雛型には視神経乳頭、黄斑部や血管等の概略図が予め倒像の状態で描かれている。倒像眼底雛型９０ｂは患者眼の左眼底の倒像を略図化したものである。また、これらの雛型９０は、カーソルマーク１１０にて選択することにより、作成画面９１に作成用雛型２００として拡大表示させることができる。
【００２１】
作成画面９１の上部には、シェーマ図を作成するためのツールボタンが用意（表示）されている。９２は作成したシェーマ図を全て取り消し、雛型状態まで戻すためのクリアボタン、９３は作成したシェーマ図を所見データ（シェーマ図データ）として保存するための保存ボタンである。また、９４は作成画面９１上に表示した作成用雛型２００上に直線，曲線，四角，円，楕円等を描くための描画ボタン群、９５は作成用雛型２００上にテキストデータにてコメントを記入するためのテキスト入力ボタンである。また、この他にも作成用雛型２００上に書き加えた描画データやテキストデータを各々消去するための消去ボタン９６、作成用雛型２００上にハッチングを作成するためのハッチングボタン９７、線種を変更するための線種変更ボタン９８、色を選択，変更するための色ボタン等が用意されている。
【００２２】
（画像保存画面）
図６は患者フォルダに保存した画像データを表示する画像保存画面である。
画面左には患者フォルダ内に保存した各種データが、日付順又は項目順（眼底画像、スリット画像、所見等）に階層形式（ツリービュー８５）にて表示される。
ツリービュー８５に表示されているアイコンを選択することにより、アイコンに対応した画像データがサムネイル画像として表示画面８０に表示される。
また、表示する日付を選択する日付選択ツールバー８１、表示する画像の種類を選択する種類選択ツールバー８２や左右眼等の表示条件を指定するコントロールツールバー８３に設定されている複数のボタンを種々選択することにより、表示画面８０に表示されるサムネイル画像を選択することができる。また、８４は表示されるサムネイル画像から任意に選択したサムネイル画像を拡大表示させるための拡大表示ボタンである。なお、拡大表示ボタン８４のマルチボタン８４ａは選択したサムネイル画像を一度に表示させるためのものであり、シングルボタン８４ｂは選択したサムネイル画像を１枚ずつ、順に表示させるためのものである。
【００２３】
以上のような、構成を備える医療画像処理システムにおいて、その動作について説明する。なお、本実施形態では患者眼眼底像のシェーマ図の作成、及び眼底カメラ２０からの眼底像を取り込む動作、及びシェーマ図と眼底画像との比較作業について説明する。
【００２４】
医療情報処理ソフト１０を起動させる。図２で示すメイン画面にて登録されている患者の選択を行った後（ここでは患者５０ａを選択するものとする）、開示ボタン５３をクリックして図３に示す患者データ画面を表示させる。次に、患者の右眼の眼底のシェーマ図を作成するため、所見ボタン６４をクリックし、図５に示すシェーマ図作成画面を表示させる。また、カーソルマーク１１０を用いて倒像眼底雛型９０ａを選択し、表示画面９１に倒像の眼底用シェーマ図雛型を表示させておく。
【００２５】
医者は図示なき倒像鏡と集光レンズを持ち、事前に散瞳薬にて散瞳している患者眼（ここでは右眼）の眼底の観察を行う。眼底の観察に倒像鏡を用いているため、観察する眼底像は倒像となっている。医者は倒像の眼底像を観察し、描画ボタン群９４等のツールボタンを使用しながら、作成用雛型２００（倒像眼底雛型）上に患者眼眼底の様子を作成用雛型２００上に描いていく。作成用雛型２００上への描画は、マウス１６ｂを用いてカーソルマーク１１０を作成用雛型２００上で移動させることにより、自由に描くことができる。
【００２６】
このような作業を行うことにより、患者眼眼底（倒像）のシェーマ図を作成する。なお、本実施形態では、図５に示すように作成用雛型２００上に描画データとして患部概略図２０１を描いている。また、この患部概略図２００にコメントを付する場合には、カーソルマーク１１０にてテキスト入力ボタン９５をクリックした後、作成用雛型２００上にて引出線の始点及び終点をカーソルマーク１１０で指定（マウス１６ｂのボタンをクリック）する。引出線の終点が指定されると、図５に示す表示画面にコメントを入力するための図示なきダイアログが表れる。このダイアログにコメントを入力し、決定すると引出線の一端にテキストデータとしてコメント２０２が表示される。
【００２７】
このような作業を行い、シェーマ図を完成させると保存ボタン９３をクリックして、描画データ及びテキストデータが付与された作成用雛型２００を所見データ（シェーマ図データ）として患者フォルダ１２ａに保存する。保存された所見データは図６に示すツリービュー８５に表示される。
【００２８】
次に、ボタン１００ｃをクリックして図４に示す画像取り込み画面を表示させ、眼底カメラ２０やスリットランプ３０からの画像取り込み作業を行う。
画像取り込み作業では、予め設定ボタン群７３を使用して、検眼日（撮影日）、左右眼の指定、画像フォーマット、撮影モード等の検眼データを選択、設定しておく。眼底カメラ２０の場合、患者を眼底カメラ２０の前に座らせ、眼底カメラ２０を操作して患者眼に合わせる。患者眼と眼底カメラ２０との位置調整が終了したら、取込ボタン７４をクリックしてパソコン１側に眼底画像を取り込む。取り込まれた画像データは、患者フォルダ１２ａに保存されるとともに、メイン画像ボックス７０に表示される。また、同時にサムネイル表示ボックス７１にサムネイル形式の画像として表示される。必要とする眼底画像の取り込みを終えたら、終了ボタン７５をクリックして、一つ前の作業画面（ここではメイン画面）に戻り、画像取り込み作業を終了する。
【００２９】
次に、患者フォルダ１２ａに保存した画像データ（眼底画像）と対応するシェーマ図とを見比べたい場合には、メイン画面にて画面左側に表示されるツリービュー８５から見たい画像アイコンを選択し、図６に示す画像保存画面を表示させる。ここで、日付選択ツールバー８１から「本日」を選択、種類選択ツールバー８２から「眼底（ｃｏｌｏｒ）」及び「所見」を選択することにより、本日撮影した眼底像８８ａ，８８ｂとシェーマ図８９ａとがサムネイル画像として表示画面８０に一度に表示される。表示画面８０に表示された複数のサムネイル画像からシェーマ図８９ａと、このシェーマ図８９ａに対応する眼底像８８ａとを選択し、拡大表示ボタン８４のマルチボタン８４ａを選択し、２つの画像のみを拡大表示させる。
【００３０】
マルチボタン８４ａが使用されると、図７に示すように表示画面に選択された眼底像８８ａとシェーマ図８９ａとが拡大画像にて並列に表示される。シェーマ図８９ａは、眼底像８８ａにて表れている眼底の倒像を略図化したものであるため、その図は直像である眼底像８８ａに対して上下、左右が反転（１８０°回転）している。したがって、このままでは両者を見比べ難いため、カーソルマーク１１０にてシェーマ図８９ａを選択するとともに、表示画面上部に設けられている反転ボタン１２０を使用して、シェーマ図８９ａを１８０°回転させる。
【００３１】
図８はシェーマ図８９ａを１８０°回転させたときのテキストデータ及び描画データの処理方法を示した図であり、図９はシェーマ図を１８０°回転させる際の処理方法の流れを示したフローチャートである。
演算制御部２は、シェーマ図８９ａから作成用雛型データ（作成用雛型２００）の読み込みと、作成用雛型２００上に書き込まれた描画データ（患部概略図２０１及び引出線）及びテキストデータ（コメント２０２）の読み込みを行う。また演算制御部２は、各データの読み込みの際に作成用雛型２００上に書き込まれた描画データとテキストデータの座標位置を検出する。演算制御部２は描画データとテキストデータの座標位置を検出後、作成用雛型２００の画像中心を軸として作成用雛型データを１８０°回転させる。また、演算制御部２は検出した描画データ及びテキストデータの座標位置から作成用雛型２００の画像中心を軸として１８０°回転させたときの座標位置を算出しておく。
【００３２】
演算制御部２は算出した１８０°回転後の座標位置に上下、左右反転した状態で描画データを移動させる座標変換処理を行う。描画データの座標変換処理後、描画データを図８に示すように１８０°回転後の作成用雛型２００´上に貼り付け、患部概略図２０１´（実線部分）として表示する。また、演算制御部２は算出した１８０°回転後の座標位置に上下、左右を反転させない状態でテキストデータを平行移動させる座標変換処理を行う。テキストデータの座標変換処理後、テキストデータを作成用雛型２００´上に貼り付け、コメント２０２´として表示する。
【００３３】
演算制御部２は上述の画像処理を行うことによって、図１０に示すように１８０°回転したシェーマ図８９ａ´を作成し、眼底像８８ａと並列させ、表示させる。このようにシェーマ画像全体を反転させるとともに、シェーマ画像に貼り付けられているテキストデータ（コメント２０２´）は反転させずに平行移動だけを行うことにより、直像にて撮影された眼底像８８ａとコメントが付されたシェーマ画像８９ａ´とを容易に見比べることができる。シェーマ画像８９ａ´を再び元の状態に戻したい場合には、もう一度反転ボタン１２０をクリックすればよい。
【００３４】
以上の実施形態では作成されたシェーマ図を１８０°回転させるものとしているが、これに限るものではなく、９０°回転やその他の任意の回転角度にてシェーマ図を回転させることもできる。このような場合においても描画データはシェーマ図の雛型データとともに設定された回転角度にて回転させ、テキストデータは平行移動により回転後の座標位置へ移動させればよい。また、１８０°以外の所定角度にてシェーマ図を回転させる場合には、シェーマ図に形成される引出線は、移動後のテキストデータの座標位置に対応して作成し直すこともできる。
また、以上の実施形態では、眼科分野における医療情報処理について説明したが、これに限るものではなく、医療分野において撮影された画像と作成したシェーマ画像との回転角度が一致しない場合においても本発明を適用することができる。
【００３５】
【発明の効果】
以上のように、本発明では作成したシェーマ図と撮影された患部像（画像）とを容易に見比べることができる。
【図面の簡単な説明】
【図１】本実施形態における医療画像処理システムの構成を示した図である。
【図２】本実施形態における患者一覧表示画面を示した図である。
【図３】本実施形態における患者の登録画面を示した図である。
【図４】本実施形態における患者眼の画像取り込み画面を示した図である。
【図５】シャーマ図を作成するための画面を示した図である。
【図６】患者フォルダに保存した画像データを表示する画像保存画面を示した図である。
【図７】取り込んだ画像とシェーマ図とを並列に表示する画面を示した図である。
【図８】シェーマ図を１８０°回転させるときの画像処理方法を示した図である。
【図９】シェーマ図を１８０°回転させる際の処理方法の流れを示したフローチャートである。
【図１０】取り込んだ画像と１８０°回転させたシェーマ図とを並列に表示する画面を示した図である。
【符号の説明】
１  パーソナルコンピュータ
２  演算制御部
３  情報記憶再生部
５  入力部
１０  医療情報処理ソフト
１５  ディスプレイ
８８ａ  眼底像
８９ａ  シェーマ図
１１０  カーソルマーク
１２０  反転ボタン
【図１】
2004357803.tif 000003
【図２】
2004357803.tif 000004
【図３】
2004357803.tif 000005
【図４】
2004357803.tif 000006
【図５】
2004357803.tif 000007
【図６】
2004357803.tif 000008
【図７】
2004357803.tif 000009
【図８】
2004357803.tif 000010
【図９】
2004357803.tif 000011
【図１０】
2004357803.tif 000012